(57)【特許請求の範囲】
【請求項１】
信号出力部を有する第１装置と信号入力部を有する第２装置との間に設けられると共に入力部及び出力部を有し、前記第１装置の信号出力部からの接点信号又は電圧信号の出力信号を前記入力部から入力して前記出力部から前記第２装置の信号入力部に接点信号を出力する遊技情報入出力装置において、
該遊技情報入出力装置は、
前記入力部から入力した接点信号を検出して前記出力部から接点信号を出力するように構成された接点信号検出回路と、
前記入力部から入力した電圧信号を検出して前記出力部から接点信号を出力するように構成された電圧信号検出回路と、
前記接点信号検出回路に電圧信号が入力された場合に、前記出力部の手前で導通することで該出力部を保護する保護回路と、を備え、
前記保護回路は、前記接点信号検出回路に入力された接点信号でＯＮしないフォトカプラーによって当該接点信号に基づく電流を前記出力部側に流れるようにすると共に前記フォトカプラーを電圧信号でＯＮすることによって当該電圧信号に基づく電流を前記出力部側に流れないようにアースすることにより前記出力部を保護することを特徴とする遊技情報入出力装置。
【発明の詳細な説明】
【０００１】
【発明の属する技術分野】
本発明は、信号出力部を有する第１装置と信号入力部を有する第２装置との間に設けられると共に入力部及び出力部を有し、前記第１装置の信号出力部からの接点信号又は電圧信号の出力信号を前記入力部から入力して前記出力部から前記第２装置の信号入力部に接点信号を出力する遊技情報入出力装置に関するものである。
【０００２】
【従来の技術】
パチンコ島台に設置されるパチンコ機から出力される大当り信号，スタート信号，確率変動信号，不正信号等の出力信号は、呼出ランプの情報基板に入力されるものであり、例えば、入力された大当り信号は、情報基板で処理されて呼出ランプの点滅駆動を行う。また、呼出ランプの情報基板に入力された前記出力信号及び呼出ランプの呼出ボタンによる信号は、代表ランプ制御用中継基板に出力されて代表ランプ制御用中継基板で処理された後、代表ランプを駆動すると共に、ホールコンピュータに出力される。
【０００３】
ここで、パチンコ機から出力される出力信号は、パチンコ機のメーカーの違いにより、接点信号で出力されるものと電圧信号で出力されるものがある。これに対し、呼出ランプの情報基板は、接点信号のみ入力でき、電圧信号を入力できないものがほとんどである。同様に、呼出ランプの情報基板から出力される出力信号は、呼出ランプのメーカーの違いにより、接点信号で出力されるものと電圧信号で出力されるものがある。これに対し、ホールコンピュータは、接点信号のみ入力でき、電圧信号を入力できないものがほとんどである。
【０００４】
上記のような問題を解決するために、従来、例えば、特開平８−１４１１８６号公報に示されるように、入力回路がパチンコ機からの接点信号又は電圧信号を自動的に判別して接点信号に変換し、コントローラ（呼出ランプの情報基板）に出力するものや、あるいは、特開平８−１９６５３号公報に示されるように、パチンコ機からの信号が接点信号か電圧信号かによってインターフェイスユニットの切換手段を切り換え、出力信号を接点信号に変換して台コントロールユニット（呼出ランプの情報基板）に出力し、且つ切換手段を接点信号用にした状態で電圧信号が入力された場合に回路を保護するための誤接続防止ダイオードが備えられたものがあった。
【０００５】
【発明が解決しようとする課題】
ところが、上記した特開平８−１４１１８６号公報に開示される発明においては、入力回路を作動させるための電源を供給する電源部が必要であり、パチンコ島台設置時における配線が煩わしいという問題があった。また、特開平８−１９６５３号公報に開示される発明においては、通常の状態において、パチンコ機からの接点信号をインターフェイスユニットから台コントロールユニットに出力する場合、誤接続防止ダイオード等に抵抗があるため、正確な接点信号を出力することができないことがあるという問題があった。本発明は、上記した問題に鑑みなされたもので、その目的とするところは、正確な接点信号の出力を確保し且つ誤って電圧信号が入力された場合には回路が保護される遊技情報入出力装置を提供することにある。
【０００６】
【課題を解決するための手段】
【０００７】
【０００８】
【０００９】
【００１０】
上記した目的を達成するために、請求項１に記載の発明においては、信号出力部を有する第１装置と信号入力部を有する第２装置との間に設けられると共に入力部及び出力部を有し、前記第１装置の信号出力部からの接点信号又は電圧信号の出力信号を前記入力部から入力して前記出力部から前記第２装置の信号入力部に接点信号を出力する遊技情報入出力装置において、該遊技情報入出力装置は、前記入力部から入力した接点信号を検出して前記出力部から接点信号を出力するように構成された接点信号検出回路と、前記入力部から入力した電圧信号を検出して前記出力部から接点信号を出力するように構成された電圧信号検出回路と、前記接点信号検出回路に電圧信号が入力された場合に、前記出力部の手前で導通することで該出力部を保護する保護回路と、を備え、前記保護回路は、前記接点信号検出回路に入力された接点信号でＯＮしないフォトカプラーによって当該接点信号に基づく電流を前記出力部側に流れるようにすると共に前記フォトカプラーを電圧信号でＯＮすることによって当該電圧信号に基づく電流を前記出力部側に流れないようにアースすることにより前記出力部を保護することを特徴とするものである。このように構成することにより、接点信号検出回路に誤って電圧信号が入力された場合でも、保護回路が作動して接点信号出力部へ過剰な電流が流れるのを防ぐことができると共に、この保護回路は、接点信号検出回路から接点信号が入力された場合には作動せず、接点信号出力部から出力される接点信号に悪影響を与えることがない。
【００１１】
【発明の実施の形態】
以下、図面を参照して本発明の実施形態について説明する。まず、図１を参照して、パチンコ島台内に設置され、実施形態に係る遊技情報入出力装置に接続される各装置について説明する。図１は、パチンコ島台に設置される装置の接続を示す概略図である。
【００１２】
パチンコ島台（図示しない）には、複数のパチンコ機１が背向列設され、パチンコ機１の上方には、パチンコ機１の大当り状態等を報知するための呼出ランプ５が備えられている。この呼出ランプ５の表面には、遊技客がパチンコホールの店員を呼び出す時等に使用する呼出ボタン６が備えられている。また、パチンコ島台に設置される複数の呼出ランプ５は、信号中継線１２により接続されており、それぞれの呼出ランプ５から出力される信号は、この信号中継線１２を介して後述する代表ランプ制御用中継基板７に入力される。
【００１３】
パチンコ機１からは、パチンコ機１が大当り状態となったときに大当り信号が、また、パチンコ機１で遊技が開始されたときにスタート信号が、また、パチンコ機１が確率変動時であるときに確率変動信号が、更に、パチンコ機１で何らかの不正行為が行われたときに不正信号がそれぞれ出力されるようになっている。これらの信号は、独立してパチンコ島台に備えられる、大当り信号用リセプタクル２ａ，スタート信号用リセプタクル２ｂ，確率変動信号用リセプタクル２ｃ及び不正信号用リセプタクル２ｄに、それぞれパチンコ機信号出力線１３を介して入力される。リセプタクル２ａ〜２ｄに入力された信号は、リセプタクル２ａ〜２ｄ内で接点信号に変換された後、情報基板３に出力され、更に、情報基板３から信号入力線４を介して呼出ランプ５に出力される。リセプタクル２ａ〜２ｄについては、後に詳述する。
【００１４】
情報基板３からの出力信号を入力した呼出ランプ５は、入力された信号に基づいて所定パターンの点灯点滅駆動が行われると共に、代表ランプ制御用中継基板７に信号中継線１２及び信号出力線１１を介して、呼出ボタン６が押された場合に出力される呼出信号，前記不正信号，前記大当り信号及び予備信号を出力する。予備信号とは、必要に応じて発生するものであり、例えば、パチンコ機１に振動検知センサが設けられているものであれば、この振動検知センサから出力される信号が予備信号に相当する。また、代表ランプ制御用中継基板７には、代表ランプ制御用中継基板７を駆動するための電源４４（図４参照）が電源コード１０により供給される。代表ランプ制御用中継基板７に入力された前記各信号は、代表ランプ制御用中継基板７内で接点信号に変換された後、所定の態様で点灯点滅駆動する代表ランプ８，所定の態様で回転点灯駆動するファンファーレ９及びパチンコ島台の外部に設置されるホールコンピュータ（図示しない）にそれぞれ出力される。なお、代表ランプ制御用中継基板７が遊技情報入出力装置を構成するものであり、また、この場合においては、呼出ランプ５が第１装置を構成し、ホールコンピュータ等が第２装置を構成するものである。代表ランプ制御用中継基板７については、後に詳述する。
【００１５】
次に、リセプタクル２ａ〜２ｄについて、図２及び図３を参照して説明する。なお、リセプタクル２ａ〜２ｄは、すべて同じ構造のものであるため、ここでは、大当り信号用リセプタクル２ａについて説明する。図２は、リセプタクル２ａの外観の斜視図であり、図３は、リセプタクル２ａ内の回路を示すブロック図である。
【００１６】
図２において、リセプタクル２ａは、合成樹脂材料等によりほぼ箱型に形成されるものであり、外部からの信号を入力する入力部２０と、外部へ信号を出力するためのリセプタクル信号出力線２５が引き出される出力部２１と、から構成されている。入力部２０は、接点信号を入力するための接点信号専用入力部２２及び電圧信号を入力するための電圧信号専用入力部２３により構成されており、パチンコ機１からの出力信号が接点信号である場合には、パチンコ機１から引き出されるパチンコ機信号出力線１３を接点信号専用入力部２２に接続し、パチンコ機１からの出力信号が電圧信号である場合には、パチンコ機信号出力線１３を電圧信号専用入力部２３に接続するものである。接続の方法としては、入力部２０の側面に備えられたツマミ２４を下方に押圧しながらパチンコ機信号出力線１３を入力部２０に挿入し、その後、押圧を解除すれば、ツマミ２４に内設されるコイルバネ(図示しない)の付勢力により、パチンコ機信号出力線１３がリセプタクル２ａに固定されることとなる。
【００１７】
出力部２１からは、前述のように、リセプタクル信号出力線２５が引き出され、このリセプタクル信号出力線２５の先端には、情報基板３に接続するためのコネクタ２６が備えられている。このコネクタ２６は、情報基板３側のコネクタ（図示しない）に差し込むことにより、容易に接続することができる。なお、入力部２０の側面には、接点信号専用入力部２２か電圧信号専用入力部２３か及びその極性を識別するための表示が施されているため、いずれの入力部にパチンコ機信号出力線１３を接続すれば良いか容易に判別することができる。また、出力部２１の側面には、リセプタクル２ａ〜２ｄのうちいずれのリセプタクルであるかの表示が施されているため、リセプタクルの種類を容易に判別することができる。
【００１８】
図３において、リセプタクル２ａ内には、接点信号が入力される場合の回路と電圧信号が入力される場合の回路がそれぞれ独立して構成されている。具体的には、パチンコ機１が接点信号を出力するものであり、このパチンコ機１が接点信号専用入力部２２に接続された場合には、パチンコ機１からパチンコ機信号出力線１３を介して出力された接点信号は、接点信号専用入力部２２からリセプタクル２ａに入力される。リセプタクル２ａに入力された接点信号は、接点信号専用入力回路兼異常電圧検出回路２７で検出された後、入力信号変換回路２８及び接点信号出力回路３１を介して出力部２１から出力される。出力部２１から出力された接点信号は、リセプタクル信号出力線２５を介して情報基板３へ入力される。なお、接点信号専用入力回路兼異常電圧検出回路２７が異常電圧検出部を構成するものである。
【００１９】
また、パチンコ機１が電圧信号を出力するものであり、このパチンコ機１が電圧信号専用入力部２３に接続された場合には、パチンコ機１からパチンコ機信号出力線１３を介して出力された電圧信号は、電圧信号専用入力部２３からリセプタクル２ａに入力される。リセプタクル２ａに入力された電圧信号は、電圧信号専用入力回路２９で検出された後、入力信号変換回路３０に入力され、入力信号変換回路３０で接点信号に変換処理された後、接点信号出力回路３１を介して出力部２１から出力される。出力部２１から出力された接点信号は、リセプタクル信号出力線２５を介して情報基板３へ入力される。
【００２０】
一方、パチンコ機１が電圧信号を出力するものであるにもかかわらず、誤って接点信号専用入力部２２に接続された場合には、パチンコ機１から出力され、接点信号専用入力回路兼異常電圧検出回路２７に入力された電圧信号は、接点信号専用入力回路兼異常電圧検出回路２７で異常電圧として検出される。この異常電圧として検出された電圧信号は、入力信号変換回路２８で接点信号に変換処理された後、接点信号出力回路３１を介して出力部２１から出力される。出力部２１から出力された接点信号は、リセプタクル信号出力線２５を介して情報基板３へ入力される。このように、接点信号専用入力部２２に誤って電圧信号が入力された場合でも、遊技情報入出力装置の出力部２１からは、接点信号が出力されるため、正規の信号として利用することができる。
【００２１】
尚、後述する異常電圧保護回路５０ａ〜５０ｄを設けて接点信号専用入力回路兼異常電圧検出回路２７で異常電圧が検出されたら、異常電圧を接点信号出力回路３１の手前で導通することにより逃がすようにしても良いし、この異常電圧に基づいて外部に報知するようにしても良い。
【００２２】
上記したリセプタクル２ａ内の回路のうち、電圧信号専用入力回路２９以外の回路、即ち、接点信号専用入力回路兼異常電圧検出回路２７，入力信号変換回路２８，３０及び接点信号出力回路３１に対しては、パチンコ機１から第１装置電源供給線３２が接続され、また、情報基板３から第２装置電源供給線３３が接続されている。この第１装置電源供給線３２及び第２装置電源供給線３３は、それぞれパチンコ機１及び情報基板３の回路電流を供給するものであり、この回路電流によって上記した電圧信号専用入力回路２９以外の回路が駆動可能な状態になるものである。このように、リセプタクル２ａ内の回路を駆動する際には、パチンコ機１又は情報基板３からの回路電流を使用するため、専用の電源回路が不要となり、リセプタクル２ａの製造コストの低減を図ることができる。なお、接点信号を出力するパチンコ機１が、リセプタクル２ａの接点信号専用入力部２２に接続された場合には、パチンコ機１又は情報基板３からのいずれかの回路電流又は両方の回路電流を使用し、電圧信号を出力するパチンコ機１が、リセプタクル２ａの電圧信号専用入力部２３に接続された場合には、情報基板３からの回路電流を使用してリセプタクル２ａを駆動することとなる。
【００２３】
次に、遊技情報入出力装置としての代表ランプ制御用中継基板７について、図４乃至図６を参照して説明する。図４は、代表ランプ制御用中継基板７内の回路を示すブロック図であり、図５は、代表ランプ制御用中継基板７に接点信号及び電圧信号が正常に入力された場合の回路の働きを示す回路図であり、図６は、代表ランプ制御用中継基板７の接点信号専用入力部に誤って電圧信号が入力された場合の回路の働きを示す回路図である。
【００２４】
図４において、代表ランプ制御用中継基板７には、呼出ランプ５から出力される呼出信号，不正信号，大当り信号及び予備信号を代表ランプ制御用中継基板７に入力するための呼出入力部４０，不正入力部４１，大当り入力部４２及び予備入力部４３が接続されている。この呼出入力部４０，不正入力部４１，大当り入力部４２及び予備入力部４３は、代表ランプ制御用中継基板７内の信号入力切換部４５ａ〜４５ｄに接続されている。また、代表ランプ制御用中継基板７内には、電源部６１が備えられており、この電源部６１は、電源４４から供給されるＡＣ１００Ｖの電源を受けてＤＣ１２Ｖの電源に変換し、代表ランプ制御用中継基板７内の回路部分を構成する回路部６５及び代表ランプ出力回路５５に供給している。
【００２５】
前記信号入力切換部４５ａ〜４５ｄは、入力された信号が電圧信号かあるいは接点信号かによって切り換えて使用するものであり、入力された信号が電圧信号である場合には、それぞれ電圧信号専用入力部４６ａ〜４６ｄに接続され、入力された信号が接点信号である場合には、それぞれ接点信号専用入力部４７ａ〜４７ｄに接続される。なお、この信号入力切換部４５ａ〜４５ｄが代表ランプ制御用中継基板７の入力部を形成するものである。
【００２６】
電圧信号専用入力部４６ａ〜４６ｄは、電圧保護回路４８ａ〜４８ｄにそれぞれ接続され、この電圧保護回路４８ａ〜４８ｄは、電圧信号検出回路４９ａ〜４９ｄにそれぞれ接続されている。また、接点信号専用入力部４７ａ〜４７ｄは、異常電圧保護回路５０ａ〜５０ｄにそれぞれ接続され、この異常電圧保護回路５０ａ〜５０ｄは、接点信号検出回路５１ａ〜５１ｄにそれぞれ接続されている。そして、電圧信号検出回路４９ａ〜４９ｄ及び接点信号検出回路５１ａ〜５１ｄは、いずれも波形整形回路５２ａ〜５２ｄにそれぞれ接続されている。このように、信号入力切換部４５ａ〜４５ｄから波形整形回路５２ａ〜５２ｄにかけての回路構成は、呼出入力部４０，不正入力部４１，大当り入力部４２及び予備入力部４３からの信号を処理する上において、全く同様の構成となっている。なお、電圧保護回路４８ａ〜４８ｄ，電圧信号検出回路４９ａ〜４９ｄ，異常電圧保護回路５０ａ〜５０ｄ及び接点信号検出回路５１ａ〜５１ｄは、本発明の要部を構成するものであり、後に詳述する。
【００２７】
波形整形回路５２ａ〜５２ｄのうち呼出信号波形整形回路５２ａ，不正信号波形整形回路５２ｂ及び大当り信号波形整形回路５２ｃから出力される信号は、呼出信号出力回路６２，不正信号出力回路６３及び大当り信号出力回路６４で構成される信号出力回路５３を介してホールコンピュータに出力されることとなる。なお、呼出信号出力回路６２，不正信号出力回路６３及び大当り信号出力回路６４は、信号出力回路５３を構成するものであり、この信号出力回路５３が接点信号出力部を構成するものである。また、呼出信号波形整形回路５２ａ，不正信号波形整形回路５２ｂ及び大当り信号波形整形回路５２ｃから出力される信号は、代表ランプ８を制御するための代表ランプ制御回路５４にも出力され、この信号に基づいて代表ランプ出力回路５５に代表ランプ８の制御信号を出力し、代表ランプ８を駆動制御することとなる。代表ランプ制御回路５４には、内部クロック発振回路５６及びランプ点灯パターン設定回路５７が接続されており、内部クロック発振回路５６から発振される信号によってランプの点滅タイミング等を決定すると共に、ディップスイッチ等で構成されるランプ点灯パターン設定回路５７によって代表ランプ８の点灯の態様を決定して代表ランプ出力回路５５に代表ランプ８の制御信号を出力している。
【００２８】
波形整形回路５２ａ〜５２ｄのうち予備信号波形整形回路５２ｄから出力される信号は、ミキシング設定回路５８，モノパルスまたは連続パルス設定回路５９及び予備信号出力回路６０を介してファンファーレ９に出力され、ファンファーレ９を回転，点灯駆動させる。予備信号波形整形回路５２ｄから出力される信号は、予備入力部４３から入力される予備信号に基づいて出力されるものであるが、予備信号は、例えば、パチンコ機１の前扉（図示しない）が開放された場合等、通常の状態とは異なった状態になった場合等に出力される信号とすることにより、この信号によるファンファーレ９の駆動により、通常の遊技状態とは異なる状態であることを報知すること等に使用できる。なお、ミキシング設定回路５８には、大当り信号波形整形回路５２ｃからの信号も入力されているため、パチンコ機１が大当り状態のときにファンファーレ９を回転，点灯駆動させることもできる。このミキシング設定回路５８は、ディップスイッチ等により構成されるものであり、切り換えスイッチをＯＮ・ＯＦＦすることにより、大当り信号波形整形回路５２ｃからの信号を入力したり、遮断したりすることができる。また、モノパルスまたは連続パルス設定回路５９は、ミキシング設定回路５８と同様、ディップスイッチ等により構成されるものであり、入力した信号を予備信号出力回路６０に１パルスだけ出力するか、あるいは、連続的にパルス信号を出力するかを切り換えるものであり、これは、ファンファーレ９等の仕様に合わせて設定される。なお、波形整形回路５２ａ〜５２ｄは、電圧信号検出回路４９ａ〜４９ｄあるいは接点信号検出回路５１ａ〜５１ｄから出力された信号の波形を整えて信号出力回路５３，代表ランプ制御回路５４等に出力するものであり、図５及び図６に示す回路図において、抵抗Ｒ２及びコンデンサ等（図示しない）により構成されるものである。
【００２９】
次に、前記電圧保護回路４８ａ〜４８ｄ，電圧信号検出回路４９ａ〜４９ｄ，異常電圧保護回路５０ａ〜５０ｄ及び接点信号検出回路５１ａ〜５１ｄの働きについて説明する。図５及び図６において、一点鎖線で示した部分が電圧保護回路４８ａ〜４８ｄ，電圧信号検出回路４９ａ〜４９ｄ，異常電圧保護回路５０ａ〜５０ｄ及び接点信号検出回路５１ａ〜５１ｄである。なお、異常電圧保護回路５０ａ〜５０ｄが保護回路を構成するものである。この回路において、ＸＸ´が電圧信号専用入力部４６ａ〜４６ｄであり、ＹＹ´が接点信号専用入力部４７ａ〜４７ｄである。
【００３０】
まず、ＸＸ´に電圧信号が入力された場合、図５において、電流Ｉ１が流れてフォトカプラＰＣ１がＯＮし、ＶＣＣ１により電流Ｉ２が流れる。電流Ｉ２によりトランジスタＴＲ１がＯＮしてＶＣＣ４により電流Ｉ３がＧＮＤ４に流れることにより、フォトカプラＰＣ３がＯＮしてＺＺ´から接点信号が出力される。この接点信号が信号出力回路５３を介してホールコンピュータに出力されることとなる。なお、ＸＸ´に３６Ｖ以上の電圧信号が入力された場合、電圧保護回路４８ａ〜４８ｄにより、フォトカプラＰＣ１の定格以上の電流が流れることがなく、また、ノイズ等をカットすることができる。また、フォトカプラＰＣ１にフォトダイオードを双方向に設けたことにより、電圧信号の極性に関係なくフォトカプラＰＣ１から信号を出力することができる。このように、ＸＸ´に電圧信号が入力された場合には、ＺＺ´から正常に接点信号が出力されることとなる。尚、ＸＸ´に接点信号が入力されても、電源がなく何も動作しないため、問題はない。
【００３１】
次に、ＹＹ´に接点信号が入力された場合、図５において、ＹＹ´が導通するため、ＶＣＣ３によりＩ４が流れてトランジスタＴＲ１がＯＮし、ＶＣＣ４により電流Ｉ３がＧＮＤ４に流れることにより、フォトカプラＰＣ３がＯＮしてＺＺ´から接点信号が出力される。この接点信号が前述と同様に、信号出力回路５３を介してホールコンピュータに出力されることとなる。このように、ＹＹ´に接点信号が入力された場合には、ＺＺ´から正常に接点信号が出力されることとなる。
【００３２】
また、ＹＹ´に誤って電圧信号が入力された場合、図６において、Ｙの電位が高い場合に流れる右回りの電流Ｉ５は、ダイオードＤ１によりブロックされるため、回路は、保護される。Ｙ´の電位が高い場合には、左回りの電流Ｉ６が流れる。電流Ｉ６は、図に示すように、Ｉ６１，Ｉ６２及びＩ６３に分流される。分流されたＩ６３は、ＧＮＤ２に流れる。また、電流Ｉ６１は、Ｙ（ＧＮＤ１）に流れ、この電流Ｉ６１によりフォトカプラＰＣ２がＯＮし、ＶＣＣ２によって電流Ｉ７が流れることにより、分流されたＩ６２は、ツェナーダイオードＺＤ３側には流れず、ＧＮＤ３に流れる。このように、異常電圧保護回路５０ａ〜５０ｄ内のフォトカプラＰＣ２が電圧信号でＯＮすることにより、Ｉ６２がＧＮＤ３に流れるため、図中Ｃ点より右側の保護回路、即ち、信号出力回路５３が保護されることとなる。
【００３３】
上記のように、代表ランプ制御用中継基板７においては、電圧信号専用入力部４６ａ〜４６ｄ又は接点信号専用入力部４７ａ〜４７ｄに、それぞれ電圧信号又は接点信号が正常に入力された場合には、信号出力回路５３から正確に接点信号が出力されると共に、接点信号専用入力部４７ａ〜４７ｄに誤って電圧信号が入力された場合には、異常電圧保護回路５０ａ〜５０ｄにより、入力された電圧信号が信号出力回路５３の手前で導通することにより、信号出力回路５３に入力されないため、信号出力回路５３が保護されることとなる。また、異常電圧保護回路５０ａ〜５０ｄは、接点信号出力部としての信号出力回路５３から出力される接点信号に悪影響を与えることがない。
【００３４】
以上、遊技情報入出力装置の詳細な構成について説明してきたが、本実施形態においては、信号出力部を有する第１装置としてのパチンコ機１と信号入力部を有する第２装置としての情報基板３との間に設けられると共に入力部２０及び出力部２１を有し、前記第１装置としてのパチンコ機１の信号出力部からの接点信号又は電圧信号の出力信号を前記入力部２０から入力して前記出力部２１から前記第２装置としての情報基板３の信号入力部に接点信号を出力するリセプタクル２ａ〜２ｄにおいて、該リセプタクル２ａ〜２ｄは、前記信号出力部から得られる第１装置としてのパチンコ機１の回路電流及び／又は前記信号入力部から得られる第２装置としての情報基板３の回路電流によって駆動可能な状態となり、この状態において前記信号出力部からの出力信号を接点信号に変換して前記信号入力部に出力することを特徴とするものである。このように構成することにより、リセプタクル２ａ〜２ｄを駆動するための専用の電源回路が不要となるため、リセプタクル２ａ〜２ｄの製造コストの低減を図ることができると共に、煩わしい配線作業を無くすことができる。
【００３５】
また、本実施形態においては、リセプタクル２ａ〜２ｄは、前記入力部２０の少なくとも一つが前記第１装置としてのパチンコ機１から出力される接点信号を入力する接点信号専用入力部２２であり、該接点信号専用入力部２２に電圧信号が入力された場合に該電圧信号を異常電圧として検出する異常電圧検出部としての接点信号専用入力回路兼異常電圧検出回路２７を備えたことを特徴とするものである。このように構成することにより、接点信号専用入力部２２に誤って電圧信号が入力されたことを検出することができるため、入力した電圧信号を遮断することや誤接続を報知すること等の対策を行うことができる。
【００３６】
また、本実施形態においては、リセプタクル２ａ〜２ｄは、前記異常電圧検出部としての接点信号専用入力回路兼異常電圧検出回路２７で検出した信号を接点信号として前記出力部２１から出力することを特徴とするものである。このように構成することにより、接点信号専用入力部２２に誤って電圧信号を入力した場合でも、リセプタクル２ａ〜２ｄの出力部２１からは、接点信号が出力されるため、正規の信号として利用することができる。
【００３７】
また、本実施形態においては、リセプタクル２ａ〜２ｄは、前記入力部２１の少なくとも一つが、前記接点信号専用入力部２２と独立して設けられ且つ前記第１装置としてのパチンコ機１から出力される電圧信号を入力する電圧信号専用入力部２２であることを特徴とするものである。このように構成することにより、電圧信号を出力する形式の第１装置としてのパチンコ機１も接続できることが明確になると共に、入力部２１のいずれに接続すべきかを容易に判別することができる。
【００３８】
更に、本実施形態においては、信号出力部を有する第１装置としての呼出ランプ５と信号入力部を有する第２装置としてのホールコンピュータとの間に設けられると共に入力部としての信号入力切換部４５ａ〜４５ｄ及び出力部としての信号出力回路５３を有し、前記第１装置としての呼出ランプ５の信号出力部からの接点信号又は電圧信号の出力信号を前記入力部としての信号入力切換部４５ａ〜４５ｄから入力して前記出力部としての信号出力回路５３から前記第２装置としてのホールコンピュータの信号入力部に接点信号を出力する遊技情報入出力装置としての代表ランプ制御用中継基板７において、該遊技情報入出力装置としての代表ランプ制御用中継基板７は、前記入力部としての信号入力切換部４５ａ〜４５ｄが、前記第１装置としての呼出ランプ５から出力される接点信号を入力する接点信号専用入力部４７ａ〜４７ｄと、該接点信号専用入力部４７ａ〜４７ｄと独立して設けられ且つ前記第１装置としての呼出ランプ５から出力される電圧信号を入力する電圧信号専用入力部４６ａ〜４６ｄと、から構成され、前記出力部が、前記接点信号専用入力部４７ａ〜４７ｄに入力される接点信号に基づき得られる電流又は前記電圧信号専用入力部４６ａ〜４６ｄに入力される電圧信号に基づき得られる電流によって接点信号を出力する接点信号出力部としての信号出力回路５３として構成され、前記接点信号専用入力部４７ａ〜４７ｄに電圧信号が入力された場合に、前記接点信号出力部としての信号出力回路５３の手前で導通することで該電圧信号を前記接点信号出力部としての信号出力回路５３へ入力させないことにより該接点信号出力部としての信号出力回路５３を保護する保護回路としての異常電圧保護回路５０ａ〜５０ｄを有することを特徴とするものである。このように構成することにより、接点信号専用入力部４７ａ〜４７ｄに誤って電圧信号が入力された場合でも、保護回路としての異常電圧保護回路５０ａ〜５０ｄが作動して接点信号出力部としての信号出力回路５３へ過剰な電流が流れるのを防ぐことができると共に、この保護回路としての異常電圧保護回路５０ａ〜５０ｄは、接点信号専用入力部４７ａ〜４７ｄから接点信号が入力された場合には作動せず、接点信号出力部としての信号出力回路５３から出力される接点信号に悪影響を与えることがない。
【００３９】
なお、上記した実施形態においては、リセプタクル２ａ〜２ｄの場合、第１装置がパチンコ機１で、第２装置が情報基板３であるものを示したが、第２装置が呼出ランプ５等、情報基板３以外のホールコンピュータ中継用コントロールユニットであってもよい。
【００４０】
また、上記した実施形態においては、遊技情報入出力装置が代表ランプ制御用中継基板７の場合、第１装置が呼出ランプ５で、第２装置がホールコンピュータであるものを示したが、第１装置が情報基板３であったり、第２装置が代表ランプ８であってもよい。
【００４１】
また、上記した実施形態において、リセプタクル２ａ〜２ｄの構造を代表ランプ制御用中継基板７に用いても良く、また、この逆に用いても良い。
【００４２】
【発明の効果】
【００４３】
【００４４】
【００４５】
【００４６】
以上、説明したところから明らかなように、請求項１に記載の発明においては、信号出力部を有する第１装置と信号入力部を有する第２装置との間に設けられると共に入力部及び出力部を有し、前記第１装置の信号出力部からの接点信号又は電圧信号の出力信号を前記入力部から入力して前記出力部から前記第２装置の信号入力部に接点信号を出力する遊技情報入出力装置において、該遊技情報入出力装置は、前記入力部から入力した接点信号を検出して前記出力部から接点信号を出力するように構成された接点信号検出回路と、前記入力部から入力した電圧信号を検出して前記出力部から接点信号を出力するように構成された電圧信号検出回路と、前記接点信号検出回路に電圧信号が入力された場合に、前記出力部の手前で導通することで該出力部を保護する保護回路と、を備え、前記保護回路は、前記接点信号検出回路に入力された接点信号でＯＮしないフォトカプラーによって当該接点信号に基づく電流を前記出力部側に流れるようにすると共に前記フォトカプラーを電圧信号でＯＮすることによって当該電圧信号に基づく電流を前記出力部側に流れないようにアースすることにより前記出力部を保護することにより、接点信号検出回路に誤って電圧信号が入力された場合でも、保護回路が作動して接点信号出力部へ過剰な電流が流れるのを防ぐことができると共に、この保護回路は、接点信号検出回路から接点信号が入力された場合には作動せず、接点信号出力部から出力される接点信号に悪影響を与えることがない。
【図面の簡単な説明】
【図１】  パチンコ島台に設置される装置の接続を示す概略図である。
【図２】  リセプタクルの外観の斜視図である。
【図３】  リセプタクル内の回路を示すブロック図である。
【図４】  代表ランプ制御用中継基板内の回路を示すブロック図である。
【図５】  代表ランプ制御用中継基板に接点信号及び電圧信号が正常に入力された場合の回路の働きを示す回路図である。
【図６】  代表ランプ制御用中継基板の接点信号専用入力部に誤って電圧信号が入力された場合の回路の働きを示す回路図である。
【符号の説明】
１  パチンコ機
２ａ  大当り信号用リセプタクル
２ｂ  スタート信号用リセプタクル
２ｃ  確率変動信号用リセプタクル
２ｄ  不正信号用リセプタクル
３  情報基板
５  呼出ランプ
６  呼出ボタン
７  代表ランプ制御用中継基板
８  代表ランプ
２０  入力部
２１  出力部
２２  接点信号専用入力部
２３  電圧信号専用入力部
２７  接点信号専用入力回路兼異常電圧検出回路
２８  入力信号変換回路
２９  電圧信号専用入力回路
３０  入力信号変換回路
３１  接点信号出力回路
３２  第１装置電源供給線
３３  第２装置電源供給線
４５ａ〜４５ｄ  信号入力切換部
４６ａ〜４６ｄ  電圧信号専用入力部
４７ａ〜４７ｄ  接点信号専用入力部
４８ａ〜４８ｄ  電圧保護回路
４９ａ〜４９ｄ  電圧信号検出回路
５０ａ〜５０ｄ  異常電圧保護回路
５１ａ〜５１ｄ  接点信号検出回路
５３  信号出力回路
５４  代表ランプ制御回路
５５  代表ランプ出力回路
【図１】
0004940508.tif 000002
【図２】
0004940508.tif 000003
【図３】
0004940508.tif 000004
【図４】
0004940508.tif 000005
【図５】
0004940508.tif 000006
【図６】
0004940508.tif 000007